(57)【特許請求の範囲】
【請求項１】
下部構造体と上部構造体との間に介在し、かつ、前記上部構造体を水平方向に移動自在に支持する免震支承を備えた免震構造において、上部構造体が所定量変位したときに緊張して構造物の変位を規制する少なくとも１つの紐状体と、上部構造体及び下部構造体のうちの一方に固定され又は水平面内でのみ回転自在に取り付けられると共に開口部から内部に略水平方向に挿通される紐状体の一方の端部を定着する一方の定着手段と、上部構造体及び下部構造体のうちの他方に固定され又は水平面内でのみ回転自在に取り付けられると共に開口部から内部に略水平方向に挿通される紐状体の他方の端部を定着する他方の定着手段とを有しており、一方の定着手段及び他方の定着手段のうちの少なくとも１つには紐状体を挿通するための挿通手段が設けられており、紐状体は一方の定着手段及び他方の定着手段のうちの少なくとも１つの挿通手段に略水平方向に挿通されて下部構造体と上部構造体との間に少なくとも１つの閉鎖輪を形成し、紐状体の一方の端部又は紐状体の他方の端部は下部構造体または上部構造体に揺動自在に連結されており、一方の定着手段及び他方の定着手段のうちの少なくとも１つの挿通手段は、一方の定着手段又は他方の定着手段の内部から開口部にいくにつれて次第に広がった湾曲形状部と、前記一方の定着手段又は他方の定着手段の内部に設けられていると共に前記開口部から内部に略水平方向に挿通された紐状体の一方の端部又は紐状体の他方の端部を定着する少なくとも１つの円弧状のフックとを有していることを特徴とする免震構造物の脱落防止装置。
【請求項２】
下部構造体と上部構造体との間に介在し、かつ、前記上部構造体を水平方向に移動自在に支持する免震支承を備えた免震構造において、上部構造体が所定量変位したときに緊張して構造物の変位を規制する少なくとも１つの紐状体と、上部構造体及び下部構造体のうちの一方に埋め込まれて固定されると共に開口部から内部に略鉛直方向に挿通される紐状体の一方の端部を定着する筒状形の一方の定着手段と、上部構造体及び下部構造体のうちの他方に埋め込まれて固定されると共に開口部から内部に略鉛直方向に挿通される紐状体の他方の端部を定着する筒状形の他方の定着手段とを有しており、一方の定着手段及び他方の定着手段のうちの少なくとも１つには紐状体を挿通するための挿通手段が設けられており、紐状体は一方の定着手段及び他方の定着手段のうちの少なくとも１つの挿通手段に略鉛直方向に挿通されて下部構造体と上部構造体との間に少なくとも１つの閉鎖輪を形成し、紐状体の一方の端部又は紐状体の他方の端部は下部構造体または上部構造体に揺動自在に連結されており、一方の定着手段及び他方の定着手段のうちの少なくとも１つの挿通手段は、一方の定着手段又は他方の定着手段の内部から開口部にいくにつれて次第に広がった湾曲形状部と、前記一方の定着手段又は他方の定着手段の内部に設けられていると共に前記開口部から内部に略鉛直方向に挿通された紐状体の一方の端部又は紐状体の他方の端部を定着する少なくとも１つの円弧状のフックとを有していることを特徴とする免震構造物の脱落防止装置。
【請求項３】
請求項１又は２に記載の免震構造物の脱落防止装置において、紐状体と挿通手段の間には摺動部材が介在されていることを特徴とする免震構造物の脱落防止装置。
【請求項４】
請求項１〜３のいずれかに記載の免震構造物の脱落防止装置において、紐状体と挿通手段の間には緩衝材が介在されていることを特徴とする免震構造物の脱落防止装置。
【請求項５】
請求項１〜４のいずれかに記載の免震構造物の脱落防止装置において、紐状体と定着手段は雨水の付着を防止するための、これらを覆って下部構造体と上部構造体との間に介在された、防水手段を有することを特徴とする免震構造物の脱落防止装置。
【請求項６】
請求項１〜５のいずれかに記載の免震構造物の脱落防止装置において、紐状体と定着手段は、これらを覆って下部構造体と上部構造体との間に介在された、耐火性材料を有することを特徴とする免震構造物の脱落防止装置。
【発明の詳細な説明】
【０００１】
【発明が属する技術分野】
本発明は、構造物の免震構造または橋桁の脱落防止に関するものである。
【０００２】
【従来の技術】
免震構造物の地震による過大変形を抑制するため、紐状体による変位の限定装置が知られている。また、ＰＣ鋼材やＰＣケーブル等を用いた落橋防止装置が知られている。
【０００３】
しかし、免震装置が設置される空間は、高さが限定されて取付け用のスペースを必要とする。また、ＰＣ鋼材やＰＣケーブル等を用いた場合には端部の定着が複雑となる。
【０００４】
【発明が解決しようとする課題】
解決しようとする問題点は、脱落防止装置が限られた空間に小型に取付けられない点である。また、ＰＣ鋼材等では定着機構が複雑であり、雨水の浸入等により腐食生じる恐れのある点である。
【０００５】
【課題を解決するための手段】
本発明は、前記課題を解決するため、次のような構成を有する。請求項１の発明（例えば図１，図３〜７）は、下部構造体３と上部構造体２との間に介在し、かつ、前記上部構造体２を水平方向に移動自在に支持する免震支承１を備えた免震構造において、上部構造体２が所定量変位したときに緊張して構造物の変位を規制する少なくとも１つの紐状体２１と、上部構造体２及び下部構造体３のうちの一方に固定され又は水平面内でのみ回転自在に取り付けられると共に開口部から内部に略水平方向に挿通される紐状体の一方の端部を定着する一方の定着手段１１〜１６と、上部構造体２及び下部構造体３のうちの他方に固定され又は水平面内でのみ回転自在に取り付けられると共に開口部から内部に略水平方向に挿通される紐状体２１の他方の端部を定着する他方の定着手段１１〜１６とを有しており、一方の定着手段１１〜１６及び他方の定着手段１１〜１６のうちの少なくとも１つには紐状体２１を挿通するための挿通手段３１，３２，４３が設けられており、紐状体２１は一方の定着手段１１〜１６及び他方の定着手段１１〜１６のうちの少なくとも１つの挿通手段３１，３２，４３に略水平方向に挿通されて下部構造体３と上部構造体２との間に少なくとも１つの閉鎖輪を形成し、紐状体２１の一方の端部又は紐状体２１の他方の端部は下部構造体３または上部構造体２に揺動自在に連結されている免震構造物の脱落防止装置である。
【０００６】
この請求項１記載の脱落防止装置によれば、免震構造において、下部構造体側と上部構造体側は紐状体と定着手段により連結され、下部構造体と上部構造体との間の変位が所定量に達したときに緊張して構造物の脱落を防止できる。紐状体に高強度繊維ロープを用いることにより、上部構造体の変形に柔軟に追従し、腐食しない。また、紐状体を複数本連結することにより、大きな引張り荷重を負担できる。
【０００７】
請求項２の発明（例えば図９〜１０）は、下部構造体３と上部構造体２との間に介在し、かつ、前記上部構造体２を水平方向に移動自在に支持する免震支承１を備えた免震構造において、上部構造体２が所定量変位したときに緊張して構造物の変位を規制する少なくとも１つの紐状体２１と、上部構造体２及び下部構造体３のうちの一方に埋め込まれて固定されると共に開口部から内部に略鉛直方向に挿通される紐状体２１の一方の端部を定着する筒状形の一方の定着手段１７と、上部構造体２及び下部構造体３のうちの他方に埋め込まれて固定されると共に開口部から内部に略鉛直方向に挿通される紐状体２１の他方の端部を定着する筒状形の他方の定着手段１７とを有しており、一方の定着手段１７及び他方の定着手段１７のうちの少なくとも１つには紐状体２１を挿通するための挿通手段３１，３２，４３が設けられており、紐状体２１は一方の定着手段１７及び他方の定着手段１７のうちの少なくとも１つの挿通手段３１，３２，４３に略鉛直方向に挿通されて下部構造体３と上部構造体２との間に少なくとも１つの閉鎖輪を形成し、紐状体２１の一方の端部又は紐状体２１の他方の端部は下部構造体３または上部構造体２に揺動自在に連結されている免震構造物の脱落防止装置である。
【０００８】
この請求項２記載の脱落防止装置によれば、免震構造において、下部構造体側と上部構造体側は紐状体と定着手段により連結されているので、免震支承に作用する上下方向荷重等がその許容値を超えて該支承に損傷を与えた場合にも、紐状体が緊張して構造物の脱落を防止できる。また、下部構造体と上部構造体との間の水平変位を所定量に限定することにより免震支承の損傷を防止することができる。定着手段は筒状形をなして上下部構造体に埋め込まれるため、小型で大きな引抜き抵抗力を得られる。紐状体に高強度繊維ロープを用いることにより、上部構造体の変形に柔軟に追従し、腐食しない。また、紐状体を複数本連結することにより、大きな引張り荷重を負担できる。
【０００９】
請求項１の発明においては、一方の定着手段１１〜１６及び他方の定着手段１１〜１６のうちの少なくとも１つの挿通手段３１，３２，４３は、一方の定着手段１１〜１６又は他方の定着手段１１〜１６の内部から開口部にいくにつれて次第に広がった湾曲形状部４３と、前記一方の定着手段１１〜１６又は他方の定着手段１１〜１６の内部に設けられていると共に前記開口部から内部に略水平方向に挿通された紐状体２１の一方の端部又は紐状体２１の他方の端部を定着する少なくとも１つの円弧状のフック３１，３２とを有していることを特徴としていてもよい。請求項２の発明においては、一方の定着手段１７及び他方の定着手段１７のうちの少なくとも１つの挿通手段３１，３２，４３は、一方の定着手段１７又は他方の定着手段１７の内部から開口部にいくにつれて次第に広がった湾曲形状部４３と、前記一方の定着手段１７又は他方の定着手段１７の内部に設けられていると共に前記開口部から内部に略鉛直方向に挿通された紐状体２１の一方の端部又は紐状体２１の他方の端部を定着する少なくとも１つの円弧状のフック３１，３２とを有していることを特徴としていてもよい。
【００１０】
この請求項１記載の免震構造物の脱落防止装置及び請求項２記載の免震構造物の脱落防止装置によれば、紐状体は滑らかに円弧状のフックに接するため損傷が少ない。フックは、紐状体をより確実に定着することができ、製作が簡単で、定着手段をより小型にすることができる。
【００１１】
請求項３の発明（例えば図４）は、請求項１又は２に記載の免震構造物の脱落防止装置において、紐状体２１と挿通手段３１，３２の間には摺動部材２３が介在されていることを特徴とする免震構造物の脱落防止装置である。
【００１２】
この請求項３記載の脱落防止装置によれば、請求項１又は２と同様の効果が得られると共に、紐状体に加わる引張り力を均等にすることができる。
【００１３】
請求項４の発明（例えば図４）は、請求項１〜３のいずれかに記載の免震構造物の脱落防止装置において、紐状体２１と挿通手段３１，３２の間には緩衝材２２が介在されていることを特徴とする免震構造物の脱落防止装置である。
【００１４】
この請求項４記載の脱落防止装置によれば、請求項１〜３と同様の効果が得られると共に、紐状体と挿通手段の間には緩衝材が介在されているため、紐状体と定着手段に加わる衝撃荷重を低減することができる。
【００１５】
請求項５の発明（例えば図１，図３〜１０）は、請求項１〜４のいずれかに記載の免震構造物の脱落防止装置において、紐状体２１と定着手段１１〜１７は雨水の付着を防止するための、これらを覆って下部構造体３と上部構造体２との間に介在された、防水手段６１を有することを特徴とする免震構造物の脱落防止装置である。
【００１６】
この請求項５記載の脱落防止装置によれば、請求項１〜４と同様の効果が得られると共に、紐状体と定着手段は防水手段により覆われているため雨水が浸入することがない。
【００１７】
請求項６の発明（例えば図１，図３〜１０）は、請求項１〜５のいずれかに記載の免震構造物の脱落防止装置において、紐状体２１と定着手段１１〜１７は、これらを覆って下部構造体と上部構造体との間に介在された、耐火性材料６１を有することを特徴とする免震構造物の脱落防止装置である。
【００１８】
この請求項６記載の脱落防止装置によれば、請求項１〜５と同様の効果が得られると共に、紐状体と定着手段は耐火性材料からなる蛇腹材により覆われているため、耐火性能を有する。
【００１９】
【発明の実施の形態】
以下、本発明に係る免震構造物における脱落防止装置の実施の形態を、図面を参照して詳細に説明する。
【００２０】
（第１の実施の形態）
図１の（ａ）は本実施の形態の平断面図、同図（ｂ）は本実施の形態の縦断面図であって、脱落防止装置を定着手段１１により構造体に取付けた状態を示す。図２の（ａ）は本実施の形態の本脱落防止装置を上部構造体２と下部構造体３に取付けた状態の平断面図、（ｂ）はＡ位置での縦断面図である。この例では、図２のように上部構造体２と固定された側の下部構造体３との間に免震支承１が介装され、脱落防止装置は定着手段１１を介して上部構造体２と下部構造体３に連結されている。上部構造体２と礎側の下部構造体３との間の床の隙間は、伸縮自在床版４により通行可能なように塞がれている。
【００２１】
上部構造体２と下部構造体３は図１に示すように定着手段１１が取付けられている。定着手段１１の内部には、円柱状のフック３１と平面視円弧形の柱状フック３２がベースプレート４１に固定されている。フック３１，３２には、ロープを掛けるための溝が複数個形成されている。ベースプレート４１は、ナット５１とボルト５２により上部構造体２または下部構造体３に固定されている。ベースプレート４４とフック３１,３２等は高力黄銅鋼等の金属部材としても良い。
【００２２】
フック３１，３２はカバー４２で覆われており、該カバー４２には紐状体２１を挿通するための開口が設けられている。カバー４２に設けられた開口は、内部から開口部にいくにつれて、次第に広がった湾曲形状部４３を有している。紐状体２１は開口から挿通されてフック３１，３２に定着されており、上部構造体２と下部構造体３を一定のたわみを持って連結している。このたわみは、上部構造体２の変形により紐状体２１が緊張して変形を制限し、下部構造体３から脱落するのを防止できるように設定されている。
【００２３】
前記紐状体２１、合成繊維としてのアラミド繊維、ポリアミド繊維、ポリエステル繊維或いはポリビニルアルコール繊維等であり、その他炭素繊維・ガラス繊維等高強度の繊維からなる。
【００２４】
紐状体２１と湾曲形状部４３を有する開口は、蛇腹状の保護材６１が取付けられている。この蛇腹状の保護材６１を構成する耐火性材料は、可撓性を有するロックウール・セラミックファイバーブランケット・ガラスクロス・耐火性不織布等の耐火性材料、その他防水性表皮材の好適な組み合わせから構成されている。これにより、脱落防止装置には防塵効果・防水効果・耐火性能が付与される。紐状体２１は、留め輪６２により適宜束ねられている。
【００２５】
（第２の実施の形態）
本発明の脱落防止装置は、実施の形態１に記載の脱落防止装置における定着手段１１が、図３に示す定着手段１２に置き換わったものである。
【００２６】
定着手段１２の内部には、紐状体２１の挿通方向に沿って、２つの円柱状のフック３１がベースプレート４１に固定されている。フック３１，３２は、本例に限らず、平面視紐状体２１の挿通直角方向に複数個取付けてよい。他の要素は、実施の形態１に同様であるので省略する。
このため、紐状体２１の本数を簡単に増やすことができ、引張り荷重を高めることができる。
【００２７】
（第３の実施の形態）
本発明の脱落防止装置は、実施の形態１に記載の脱落防止装置における定着手段１１が、図４に示す定着手段１３に置き換わったものである。
【００２８】
定着手段１３の内部には、円柱状のフック３１がベースプレート４１に固定されている。フック３１はカバー４４で覆われており、カバー４４は、回転ピン４５とベアリング４６により回動自在にフック３１に取付けられている。
このため、上部構造体２が前後・左右に変位しても、紐状体２１は自在に回転して変形に追従する。
【００２９】
（第４の実施の形態）
本発明の脱落防止装置は、実施の形態３に記載の脱落防止装置における定着手段１３が、図５に示す定着手段１４に置き換わったものである。
【００３０】
フック３１の外周部には、半円筒状の外殻フック３３が回動自在に固定されている。図示はしないが、フック３１と外殻フック３３の接触面はテフロン等により摩擦の少ないように構成されている。
このため、上部構造体２が前後・左右に変位しても、紐状体２１は自在に回転して変形に追従すると共に、紐状体２１の本数を簡単に増やすことができる。
【００３１】
（第５の実施の形態）
本発明の脱落防止装置は、実施の形態１に記載の脱落防止装置における定着手段１１が、図６に示す定着手段１５に置き換わったものである。
【００３２】
下部構造体３に設けられた溝に、ベースプレート４１が係留され、ベースプレート４１の下面にはベアリング４７が介装されている。
このため、上部構造体２が前後・左右に変位しても、紐状体２１は自在に回転して変形に追従する。
【００３３】
（第６の実施の形態）
本発明の脱落防止装置は、実施の形態１に記載の脱落防止装置における定着手段１１が、図７に示す定着手段１６に置き換わったものである。
図８は本実施の形態の定着手段１６を下部構造体３に、実施の形態１の定着手段１１を上部構造体２に複数個取付けた縦断面図である。
【００３４】
定着手段１６の内部には、円柱状のフック３１と平面視円弧形の柱状フック３２ａ，３２ｂ，３２ｃ，３２ｄがベースプレート４１に固定されている。フック３１，３２ａ，３２ｂ，３２ｃ，３２ｄには、ロープを掛けるための溝が複数個形成されている。
紙面左側から挿通される紐状体２１は開口から挿通されてフック３１,３２ｂに定着されており、紙面右側から挿通される紐状体２１はこれと対称の構成となっている。また、紙面上側から挿通される紐状体２１は開口から挿通されてフック３１,３２ｄに定着されており、紙面下側から挿通される紐状体２１はこれと対称の構成となっている。
このため、紐状体２１の前後左右のたわみ量と本数を変化させることにより、上部構造体２の変形制限距離と装置の許容荷重を、前後左右に異なるものとすることができる。
【００３５】
（第７の実施の形態）
図９の（ａ）は本実施の形態のＡ位置での平断面図、同図（ｂ）は本実施の形態の縦断面図であって、脱落防止装置を定着手段１７により構造体に取付けた状態を示す。図１０の（ａ）は本実施の形態の本脱落防止装置を上部構造体２と下部構造体３に取付けた状態の平断面図、（ｂ）はＡ位置での縦断面図である。この例では、図１０のように上部構造体２と固定された側の下部構造体３との間に免震支承１が介装され、脱落防止装置は定着手段１７を介して上部構造体２と下部構造体３に連結されている。免震支承１の周囲は、耐火性部材５により覆われている。
【００３６】
円筒状の定着手段１７の内部には、円柱状のフック３１と断面視円弧形の柱状フック３２が固定されている。フック３１，３２には、ロープを掛けるための溝が複数個形成されている。円筒状の定着手段１７は、ナット５１とボルト５２により上部構造体２または下部構造体３に固定されている。
【００３７】
定着手段１７の開口部は、内部から開口部にいくにつれて、次第に広がった湾曲形状部４３を有している。紐状体２１は開口から挿通されてフック３１，３２に定着されており、上部構造体２と下部構造体３を一定のたわみを持って連結している。このたわみは、上部構造体２の変形により紐状体２１が緊張して変形を制限し、下部構造体３から脱落するのを防止できるように設定されている。
【００３８】
紐状体２１と湾曲形状部４３を有する開口は、蛇腹状の保護材６１が取付けられている。この蛇腹状の保護材６１を構成する耐火性材料は、可撓性を有するロックウール・セラミックファイバーブランケット・ガラスクロス・耐火性不織布等の耐火性材料、その他防水性表皮材の好適な組み合わせから構成されている。これにより、脱落防止装置には防塵効果・防水効果・耐火性能が付与される。紐状体２１は、留め輪６２により適宜束ねられている。
【００３９】
なお、本発明の脱落防止装置は上記の実施形態に限定されることなく、本発明の趣旨を逸脱しない範囲において、種々の改良ならびに設計の変更を行っても良い。
脱落防止装置は、下部構造体３の上に設けられた、複数の上部構造体２同士を連結する構成としても良い。また、免震支承１に類する変形手段を有する構造物に適用しても良い。
紐状体２１は、風揺れを防止するため、バネまたはダンパーで適宜上部構造体２や下部構造体３と連結してよい。蛇腹状の保護材６１は、弾力性を有する材料を用いてバネと同等の効果を持たせても良く、鉛等の粘弾性材料を付勢したものとしても良い。
また、定着手段１１等は、ナット５１とボルト５２により上部構造体２と下部構造体３に固定したが、これに限らず、上部構造体２または下部構造体３に固定され、紐状体２１の挿通方向に垂直な面をなし、紐状体２１の挿通用の開口を有する支圧版に、ベースプレート４１およびカバー４２が可動な状態で当接するように定着しても良い。この場合、該支圧版は箱型に形成してもよく、また、支圧版とベースプレート４１およびカバー４２の当接面には緩衝材を設けても良い。筒状の定着手段１７の平面視断面形状は円形に限らず、四角形・三角形・多角形・楕円形等としてよい。また、筒状の定着手段１７の外周ににネジを切り、上下部構造体に固定したナットに定着しても良い。
その他、具体的な細部構造についても適宜変更可能であることは勿論である。
【００４０】
【発明の効果】
請求項１記載の脱落防止装置によれば、免震構造において、下部構造体側と上部構造体側は紐状体と定着手段により連結され、下部構造体と上部構造体との間の変位が所定量に達したときに緊張して構造物の脱落を防止できる。紐状体に高強度繊維ロープを用いることにより、上部構造体の変形に柔軟に追従し、腐食しない。また、紐状体を複数本連結することにより、大きな引張り荷重を負担できる。
【００４１】
請求項２記載の脱落防止装置によれば、免震構造において、下部構造体側と上部構造体側は紐状体と定着手段により連結されているので、免震支承に作用する上下方向荷重等がその許容値を超えて該支承に損傷を与えた場合にも、紐状体が緊張して構造物の脱落を防止できる。また、下部構造体と上部構造体との間の水平変位を所定量に限定することにより免震支承の損傷を防止することができる。定着手段は筒状形をなして上下部構造体に埋め込まれるため、小型で大きな引抜き抵抗力を得られる。紐状体に高強度繊維ロープを用いることにより、上部構造体の変形に柔軟に追従し、腐食しない。また、紐状体を複数本連結することにより、大きな引張り荷重を負担できる。
【００４２】
請求項１又は２記載の脱落防止装置によれば、請求項１〜２と同様の効果が得られると共に、紐状体は滑らかに円弧状のフックに接するため損傷が少ない。フックは、紐状体をより確実に定着することができ、製作が簡単で、定着手段をより小型にすることができる。
【００４３】
請求項３記載の脱落防止装置によれば、請求項１又２と同様の効果が得られると共に、紐状体に加わる引張り力を均等にすることができる。
【００４４】
請求項４記載の脱落防止装置によれば、請求項１〜３と同様の効果が得られると共に、紐状体と挿通手段の間には緩衝材が介在されているため、紐状体と定着手段に加わる衝撃荷重を低減することができる。
【００４５】
請求項５記載の脱落防止装置によれば、請求項１〜４と同様の効果が得られると共に、紐状体と定着手段は防水手段により覆われているため雨水が浸入することがない。
【００４６】
請求項６記載の脱落防止装置によれば、請求項１〜５と同様の効果が得られると共に、紐状体と定着手段は耐火性材料からなる蛇腹材により覆われているため、耐火性能を有する。
【図面の簡単な説明】
【図１】本発明の脱落防止装置の一例であり（ａ）は平断面図、（ｂ）は縦断面図である。（実施例１）
【図２】本発明の脱落防止装置の適用例であり（ａ）は平断面図、（ｂ）は縦断面図である。（実施例１）
【図３】定着手段の他の一例のであり（ａ）は平断面図、（ｂ）は縦断面図である。（実施例２）
【図４】定着手段のさらに他の一例のであり（ａ）は平断面図、（ｂ）は縦断面図である。（実施例３）
【図５】定着手段のさらに他の一例のであり（ａ）は平断面図、（ｂ）は縦断面図である。（実施例４）
【図６】定着手段のさらに他の一例のであり（ａ）は平断面図、（ｂ）は縦断面図である。（実施例５）
【図７】定着手段のさらに他の一例のであり（ａ）は平断面図、（ｂ）は縦断面図である。（実施例６）
【図８】本発明の脱落防止装置の適用例の縦断面図である。（実施例６）
【図９】本発明の脱落防止装置の他の一例のであり（ａ）はＡ位置の平断面図、（ｂ）は縦断面図である。（実施例７）
【図１０】本発明の脱落防止装置の適用例であり（ａ）は平断面図、（ｂ）はＡ位置の縦断面図である。（実施例７）
【符号の説明】
１                免震支承
２                上部構造体
３                下部構造体
４                伸縮自在床版
１１〜１７        定着手段
２１              紐状体
２２              緩衝材
２３              摺動部材
３１，３２        フック
３３              外殻フック
３４              枠部材
４１              ベースプレート
４２              カバー
４３              凸部
４４              回転カバー
４５              ピン
４６，４７        ベアリング
５１              ナット
５２              ボルト
６１              蛇腹の保護材
６２              留め輪
【図１】
0004200660.tif 000002
【図２】
0004200660.tif 000003
【図３】
0004200660.tif 000004
【図４】
0004200660.tif 000005
【図５】
0004200660.tif 000006
【図６】
0004200660.tif 000007
【図７】
0004200660.tif 000008
【図８】
0004200660.tif 000009
【図９】
0004200660.tif 000010
【図１０】
0004200660.tif 000011